(57)【要約】本発明は、データ伝送方法、装置、設備、プログラム及び記録媒体に関し、通信技術分野に属する。上記方法は、第１の設備と第１のタイプのペアリング接続を確立するステップと、前記第１の設備とデータを伝送する第１の操作が検出された後、前記第１のタイプのペアリング接続を通じて、前記第１の設備から送信される送信待ちデータを受信するステップと、第２の設備と第２のタイプのペアリング接続が確立された後、前記第２の設備とデータを伝送する第２の操作を検出するステップと、前記第２の設備とデータを伝送する第２の操作が検出された後、前記第２のタイプのペアリング接続を通じて、前記送信待ちデータを前記第２の設備に送信するステップと、を含む。スマート装着設備によって異なる設備の間のデータ伝送を実現するので、このようなデータ伝送方式はその使用範囲が広く、インターネット接続などの条件の制限を受けず、普遍性が高い。【選択図】図２
2017513416.tif 000002
【特許請求の範囲】
【請求項１】
スマート装着設備に用いられるデータ伝送方法であって、
第１の設備と第１のタイプのペアリング接続を確立するステップと、
前記第１の設備とデータを伝送する第１の操作が検出された後、前記第１のタイプのペアリング接続を通じて、前記第１の設備から送信される送信待ちデータを受信するステップと、
第２の設備と第２のタイプのペアリング接続が確立された後、前記第２の設備とデータを伝送する第２の操作を検出するステップと、
前記第２の設備とデータを伝送する第２の操作が検出された後、前記第２のタイプのペアリング接続を通じて、前記送信待ちデータを前記第２の設備に送信するステップと、
を含むことを特徴とするデータ伝送方法。
【請求項２】
前記第１の設備とデータを伝送する第１の操作が検出された後、前記第１のタイプのペアリング接続を通じて、前記第１の設備から送信される送信待ちデータを受信するステップは、
前記スマート装着設備と前記第１の設備の間の第１の指定形態のタッチ操作が検出されると、前記第１の操作が検出されたと特定するステップと、
前記第１のタイプのペアリング接続を通じて、前記第１の設備が前記第１の操作を検出した後送信する前記送信待ちデータを受信するステップと、
を含み、
前記送信待ちデータは、前記第１の設備が第１のデータ送信画面においてのユーザーの手動操作に基づいて特定するものであることを特徴とする請求項１に記載のデータ伝送方法。
【請求項３】
前記第２の設備とデータを伝送する第２の操作を検出する前に、前記データ伝送方法は、
前記第２の設備と前記第２のタイプのペアリング接続を確立するステップをさらに含み、
前記第２の設備とデータを伝送する第２の操作を検出するステップは、
前記スマート装着設備と前記第２の設備の間の第２の指定形態のタッチ操作が検出されると、前記第２の操作が検出されたと特定するステップを含み、
前記第２のタイプのペアリング接続を通じて、前記送信待ちデータを前記第２の設備に送信するステップは、
第２のデータ送信画面においてのユーザーの手動操作に基づいて前記送信待ちデータを特定し、前記第２のタイプのペアリング接続を通じて、前記送信待ちデータを前記第２の設備に送信するステップを含むことを特徴とする請求項１に記載のデータ伝送方法。
【請求項４】
第１の設備に用いられるデータ伝送方法であって、
第１の設備及び第２の設備の中の少なくとも一方の設備がオフライン状態にある場合、スマート装着設備と第１のタイプのペアリング接続を確立するステップと、
前記スマート装着設備とデータを伝送する第１の操作が検出された後、前記第１のタイプのペアリング接続を通じて、送信待ちデータを前記スマート装着設備に送信するステップと、
を含み、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続であることを特徴とするデータ伝送方法。
【請求項５】
前記第１のタイプのペアリング接続を通じて、送信待ちデータを前記スマート装着設備に送信する前に、前記データ伝送方法は、
第１のデータ送信画面においてのユーザーの手動操作に基づいて、前記送信待ちデータを特定するステップをさらに含むことを特徴とする請求項４に記載のデータ伝送方法。
【請求項６】
スマート装着設備に用いられるデータ伝送装置であって、
第１の設備と第１のタイプのペアリング接続を確立するための接続確立モジュールと、
前記第１の設備とデータを伝送する第１の操作が検出された後、前記第１のタイプのペアリング接続を通じて、前記第１の設備から送信される送信待ちデータを受信するためのデータ受信モジュールと、
第２の設備と第２のタイプのペアリング接続が確立された後、前記第２の設備とデータを伝送する第２の操作を検出するための検出モジュールと、
前記第２の設備とデータを伝送する第２の操作が検出された後、前記第２のタイプのペアリング接続を通じて、前記送信待ちデータを前記第２の設備に送信するためのデータ送信モジュールと、
を含むことを特徴とするデータ伝送装置。
【請求項７】
前記データ受信モジュールは、前記スマート装着設備と前記第１の設備の間の第１の指定形態のタッチ操作が検出されると、前記第１の操作が検出されたと特定し、前記第１のタイプのペアリング接続を通じて、前記第１の設備が前記第１の操作を検出した後送信する前記送信待ちデータを受信するために用いられ、
前記送信待ちデータは、前記第１の設備が第１のデータ送信画面においてのユーザーの手動操作に基づいて特定するものであることを特徴とする請求項６に記載のデータ伝送装置。
【請求項８】
前記接続確立モジュールは、前記第２の設備と前記第２のタイプのペアリング接続を確立するためにも用いられ、
前記検出モジュールは、前記スマート装着設備と前記第２の設備の間の第２の指定形態のタッチ操作が検出されると、前記第２の操作が検出されたと特定するために用いられ、
前記データ送信モジュールは、第２のデータ送信画面においてのユーザーの手動操作に基づいて前記送信待ちデータを特定し、前記第２のタイプのペアリング接続を通じて、前記送信待ちデータを前記第２の設備に送信するために用いられることを特徴とする請求項６に記載のデータ伝送装置。
【請求項９】
第１の設備に用いられるデータ伝送装置であって、
第１の設備及び第２の設備の中の少なくとも一方の設備がオフライン状態にある場合、スマート装着設備と第１のタイプのペアリング接続を確立するための接続確立モジュールと、
前記スマート装着設備とデータを伝送する第１の操作が検出された後、前記第１のタイプのペアリング接続を通じて、送信待ちデータを前記スマート装着設備に送信するためのデータ送信モジュールと、
を含み、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続であることを特徴とするデータ伝送装置。
【請求項１０】
前記データ伝送装置は、
第１のデータ送信画面においてのユーザーの手動操作に基づいて、前記送信待ちデータを特定するためのデータ特定モジュールをさらに含むことを特徴とする請求項９に記載のデータ伝送装置。
【請求項１１】
プロセッサと、
前記プロセッサが実行可能な命令を記憶するためのメモリと、
を含み、
前記プロセッサは、
第１の設備と第１のタイプのペアリング接続を確立し、
前記第１の設備とデータを伝送する第１の操作が検出された後、前記第１のタイプのペアリング接続を通じて、前記第１の設備から送信される送信待ちデータを受信し、
第２の設備と第２のタイプのペアリング接続が確立された後、前記第２の設備とデータを伝送する第２の操作を検出し、
前記第２の設備とデータを伝送する第２の操作が検出された後、前記第２のタイプのペアリング接続を通じて、前記送信待ちデータを前記第２の設備に送信するように構成されることを特徴とするデータ伝送設備。
【請求項１２】
プロセッサと、
前記プロセッサが実行可能な命令を記憶するためのメモリと、
を含み、
前記プロセッサは、
第１の設備及び第２の設備の中の少なくとも一方の設備がオフライン状態にある場合、スマート装着設備と第１のタイプのペアリング接続を確立し、
前記スマート装着設備とデータを伝送する第１の操作が検出された後、前記第１のタイプのペアリング接続を通じて、送信待ちデータを前記スマート装着設備に送信するように構成され、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続であることを特徴とするデータ伝送設備。
【発明の詳細な説明】
【相互参照】
【０００１】
本願は、出願番号がＣＮ２０１５１００３５９０３．８であって、出願日が２０１５年１月２３日である中国特許出願に基づき優先権を主張し、当該中国特許出願のすべての内容を本願に援用する。
【技術分野】
【０００２】
本発明は、通信技術分野に関し、特に、データ伝送方法、装置、及び設備に関する。
【背景技術】
【０００３】
情報技術の絶えざる発展につれて、ユーザーは、情報交互や交流などの目的で、通常、異なる端末設備の間でデータを伝送する必要がある。
【０００４】
関連技術において、２つの端末設備の間でデータを伝送するためには、一般的に、２つの端末設備が同時にオンライン状態にいなければならず、且つ２つの設備にデータ伝送機能を有する同一のアプリケーションがインストールされていなければならない、という条件を満たさなければならない。そして、ユーザーがオンライン状態で当該アプリケーションに登録した後、２つの端末設備は、当該アプリケーションを通じて互いにデータを伝送する。
【発明の概要】
【０００５】
本発明は、関連技術に存在する問題を解決するために、データ伝送方法、装置、及び設備を提供する。
【０００６】
本発明の第１の態様は、スマート装着設備に用いられるデータ伝送方法を提供し、当該データ伝送方法は、
第１の設備と第１のタイプのペアリング接続を確立するステップと、
前記第１の設備とデータを伝送する第１の操作が検出された後、前記第１のタイプのペアリング接続を通じて、前記第１の設備から送信される送信待ちデータを受信するステップと、
第２の設備と第２のタイプのペアリング接続が確立された後、前記第２の設備とデータを伝送する第２の操作を検出するステップと、
前記第２の設備とデータを伝送する第２の操作が検出された後、前記第２のタイプのペアリング接続を通じて、前記送信待ちデータを前記第２の設備に送信するステップと、を含む。
【０００７】
別の実施例において、前記第１の設備とデータを伝送する第１の操作が検出された後、前記第１のタイプのペアリング接続を通じて、前記第１の設備から送信される送信待ちデータを受信するステップは、
前記スマート装着設備と前記第１の設備の間の第１の指定形態のタッチ操作が検出されると、前記第１の操作が検出されたと特定するステップと、
前記第１のタイプのペアリング接続を通じて、前記第１の設備が前記第１の操作を検出した後送信する前記送信待ちデータを受信するステップと、
を含み、
前記送信待ちデータは、前記第１の設備が第１のデータ送信画面においてのユーザーの手動操作に基づいて特定するものである。
【０００８】
別の実施例において、前記第２の設備とデータを伝送する第２の操作を検出する前に、前記データ伝送方法は、
前記第２の設備と前記第２のタイプのペアリング接続を確立するステップをさらに含み、
前記第２の設備とデータを伝送する第２の操作を検出するステップは、
前記スマート装着設備と前記第２の設備の間の第２の指定形態のタッチ操作が検出されると、前記第２の操作が検出されたと特定するステップを含み、
前記第２のタイプのペアリング接続を通じて、前記送信待ちデータを前記第２の設備に送信するステップは、
第２のデータ送信画面においてのユーザーの手動操作に基づいて前記送信待ちデータを特定し、前記第２のタイプのペアリング接続を通じて、前記送信待ちデータを前記第２の設備に送信するステップを含む。
【０００９】
本発明の第２の態様は、第１の設備に用いられるデータ伝送方法を提供し、当該データ伝送方法は、
第１の設備及び第２の設備の中の少なくとも一方の設備がオフライン状態にある場合、スマート装着設備と第１のタイプのペアリング接続を確立するステップと、
前記スマート装着設備とデータを伝送する第１の操作が検出された後、前記第１のタイプのペアリング接続を通じて、送信待ちデータを前記スマート装着設備に送信するステップと、
を含み、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続である。
【００１０】
別の実施例において、前記第１のタイプのペアリング接続を通じて送信待ちデータを前記スマート装着設備に送信する前に、前記データ伝送方法は、
第１のデータ送信画面においてのユーザーの手動操作に基づいて、前記送信待ちデータを特定するステップをさらに含む。
【００１１】
本発明の第３の態様は、スマート装着設備に用いられるデータ伝送装置を提供し、当該データ伝送装置は、
第１の設備と第１のタイプのペアリング接続を確立するための接続確立モジュールと、
前記第１の設備とデータを伝送する第１の操作が検出された後、前記第１のタイプのペアリング接続を通じて、前記第１の設備から送信される送信待ちデータを受信するためのデータ受信モジュールと、
第２の設備と第２のタイプのペアリング接続が確立された後、前記第２の設備とデータを伝送する第２の操作を検出するための検出モジュールと、
前記第２の設備とデータを伝送する第２の操作が検出された後、前記第２のタイプのペアリング接続を通じて、前記送信待ちデータを前記第２の設備に送信するためのデータ送信モジュールと、
を含む。
【００１２】
別の実施例において、前記データ受信モジュールは、前記スマート装着設備と前記第１の設備の間の第１の指定形態のタッチ操作が検出されると、前記第１の操作が検出されたと特定し、前記第１のタイプのペアリング接続を通じて、前記第１の設備が前記第１の操作を検出した後送信する前記送信待ちデータを受信するために用いられ、
前記送信待ちデータは、前記第１の設備が第１のデータ送信画面においてのユーザーの手動操作に基づいて特定するものである。
【００１３】
別の実施例において、前記接続確立モジュールは、前記第２の設備と前記第２のタイプのペアリング接続を確立するためにも用いられ、
前記検出モジュールは、前記スマート装着設備と前記第２の設備の間の第２の指定形態のタッチ操作が検出されると、前記第２の操作が検出されたと特定するために用いられ、
前記データ送信モジュールは、第２のデータ送信画面においてのユーザーの手動操作に基づいて前記送信待ちデータを特定し、前記第２のタイプのペアリング接続を通じて、前記送信待ちデータを前記第２の設備に送信するために用いられる。
【００１４】
本発明の第４の態様は、第１の設備に用いられるデータ伝送装置を提供し、当該データ伝送装置は、
第１の設備及び第２の設備の中の少なくとも一方の設備がオフライン状態にある場合、スマート装着設備と第１のタイプのペアリング接続を確立するための接続確立モジュールと、
前記スマート装着設備とデータを伝送する第１の操作が検出された後、前記第１のタイプのペアリング接続を通じて、送信待ちデータを前記スマート装着設備に送信するためのデータ送信モジュールと、
を含み、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続である。
【００１５】
別の実施例において、前記データ伝送装置は、
第１のデータ送信画面においてのユーザーの手動操作に基づいて、前記送信待ちデータを特定するためのデータ特定モジュールをさらに含む。
【００１６】
本発明の第５の態様は、データ伝送設備を提供し、当該データ伝送設備は、
プロセッサと、
前記プロセッサが実行可能な命令を記憶するためのメモリと、
を含み、
前記プロセッサは、
第１の設備と第１のタイプのペアリング接続を確立し、
前記第１の設備とデータを伝送する第１の操作が検出された後、前記第１のタイプのペアリング接続を通じて、前記第１の設備から送信される送信待ちデータを受信し、
第２の設備と第２のタイプのペアリング接続が確立された後、前記第２の設備とデータを伝送する第２の操作を検出し、
前記第２の設備とデータを伝送する第２の操作が検出された後、前記第２のタイプのペアリング接続を通じて、前記送信待ちデータを前記第２の設備に送信するように構成される。
【００１７】
本発明の第６の態様は、データ伝送設備を提供し、当該データ伝送設備は、
プロセッサと、
前記プロセッサが実行可能な命令を記憶するためのメモリと、
を含み、
前記プロセッサは、
第１の設備及び第２の設備の中の少なくとも一方の設備がオフライン状態にある場合、スマート装着設備と第１のタイプのペアリング接続を確立し、
前記スマート装着設備とデータを伝送する第１の操作が検出された後、前記第１のタイプのペアリング接続を通じて、送信待ちデータを前記スマート装着設備に送信するように構成され、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続である。
【発明の効果】
【００１８】
本発明の実施例に係る提案は、下記の有益な効果を有する。
【００１９】
スマート装着設備は、第１の設備と第１のタイプのペアリング接続を確立し、第１の設備とデータを伝送する第１の操作が検出された後、第１のタイプのペアリング接続を通じて、第１の設備から送信される送信待ちデータを受信し、その後、スマート装着設備は、第２の設備とデータを伝送する第２の操作が検出されると、第２のタイプのペアリング接続を通じて、送信待ちデータを第２の設備に送信する。スマート装着設備によって異なる設備の間のデータ伝送を実現するので、このようなデータ伝送方式はその使用範囲が広く、インターネット接続などの条件の制限を受けず、普遍性が高い。
【００２０】
以上の一般的な記述と、以下の詳細の記述は、ただ例示的なものであって、本発明を限定するものではないことを理解すべきである。
【図面の簡単な説明】
【００２１】
ここの図面は、明細書に組み入れて本明細書の一部分を構成し、本発明に該当する実施例を例示するとともに、明細書とともに本発明の原理を解釈するために用いられる。
【００２２】
【図１】１つの例示的な実施例に係るデータ伝送方法に関する実施環境の模式図である。
【図２】１つの例示的な実施例に係るデータ伝送方法のフローチャートである。
【図３】１つの例示的な実施例に係るデータ伝送方法のフローチャートである。
【図４】１つの例示的な実施例に係るデータ伝送方法のフローチャートである。
【図５】１つの例示的な実施例に係るデータ伝送装置のブロック図である。
【図６】１つの例示的な実施例に係るデータ伝送装置のブロック図である。
【図７】１つの例示的な実施例に係る他のデータ伝送装置のブロック図である。
【図８】１つの例示的な実施例に係るデータ伝送設備のブロック図である。
【発明を実施するための形態】
【００２３】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部のに一致する装置、及び方法の例に過ぎない。
【００２４】
本発明の実施例を詳しく解釈、説明する前に、まず、本発明の実施例に関する実施環境を簡単に紹介する。
【００２５】
図１は、本発明の実施例に関する実施環境の模式図である。図１を参照すると、第１の設備及び第２の設備は、スマート携帯電話、タブレットＰＣ、スマートテレビなどのスマート端末設備であってもよい。スマート装着設備は、スマートブレスレット、スマートメガネなどであってもよい。図１は、第１の設備及び第２の設備がそれぞれスマート携帯電話であり、スマート装着設備がスマートブレスレットである場合のみを例として説明する。第１の設備及び第２の設備の中の少なくとも一方がオフライン状態にある場合、第１の設備及び第２の設備の間で直接データを伝送することは難しいことである。本発明の実施例においては、データ中継設備としてのスマート装着設備を導入することで、第１の設備及び第２の設備がいずれもオフライン状態にある場合にも便利にデータを伝送できるようにし、これは、ただ第１の設備及び第２の設備がそれぞれ同一のスマート装着設備とペアリング接続を確立することを必要とする。詳細な過程は、下記の実施例を参照すればよい。
【００２６】
図２は、１つの例示的な実施例に係るデータ伝送方法のフローチャートであり、図２に示されたように、当該データ伝送方法は、スマート装着設備に適用され、下記のステップを含む。
【００２７】
ステップ２０１において、第１の設備と第１のタイプのペアリング接続を確立する。
【００２８】
ステップ２０２において、第１の設備とデータを伝送する第１の操作が検出された後、第１のタイプのペアリング接続を通じて、第１の設備から送信される送信待ちデータを受信する。
【００２９】
ステップ２０３において、第２の設備と第２のタイプのペアリング接続が確立された後、第２の設備とデータを伝送する第２の操作を検出する。
【００３０】
ステップ２０４において、第２の設備とデータを伝送する第２の操作が検出された後、第２のタイプのペアリング接続を通じて、送信待ちデータを第２の設備に送信する。
【００３１】
本発明の実施例に係る方法によると、スマート装着設備は、第１の設備と第１のタイプのペアリング接続を確立し、第１の設備とデータを伝送する第１の操作が検出された後、第１のタイプのペアリング接続を通じて、第１の設備から送信される送信待ちデータを受信し、その後、スマート装着設備は、第２の設備とデータを伝送する第２の操作が検出されると、第２のタイプのペアリング接続を通じて、送信待ちデータを第２の設備に送信する。スマート装着設備によって異なる設備の間のデータ伝送を実現するので、このようなデータ伝送方式はその使用範囲が広く、インターネット接続などの条件の制限を受けず、普遍性が高い。
【００３２】
別の実施例において、第１の設備とデータを伝送する第１の操作が検出された後、第１のタイプのペアリング接続を通じて、第１の設備から送信される送信待ちデータを受信するステップは、
スマート装着設備と第１の設備の間の第１の指定形態のタッチ操作が検出されると、第１の操作が検出されたと特定するステップと、
第１のタイプのペアリング接続を通じて、第１の設備が第１の操作を検出した後送信する送信待ちデータを受信するステップと、を含む。
【００３３】
上記送信待ちデータは、第１の設備が第１のデータ送信画面においてのユーザーの手動操作に基づいて特定するものである。
【００３４】
別の実施例において、第２の設備とデータを伝送する第２の操作を検出する前に、当該方法は、
第２の設備と第２のタイプのペアリング接続を確立するステップをさらに含む。
【００３５】
第２の設備とデータを伝送する第２の操作を検出するステップは、
スマート装着設備と第２の設備の間の第２の指定形態のタッチ操作が検出されると、第２の操作が検出されたと特定するステップを含む。
【００３６】
第２のタイプのペアリング接続を通じて、送信待ちデータを第２の設備に送信するステップは、
第２のデータ送信画面においてのユーザーの手動操作に基づいて送信待ちデータを特定し、第２のタイプのペアリング接続を通じて、送信待ちデータを第２の設備に送信するステップを含む。
【００３７】
上記すべての選択的な提案は任意に組み合わせられて、本発明の選択的な実施例を構成し、ここで詳しく述べない。
【００３８】
図３は、１つの例示的な実施例に係るデータ伝送方法のフローチャートであり、図３に示されたように、当該データ伝送方法は、第１の設備に適用され、下記のステップを含む。
【００３９】
ステップ３０１において、第１の設備及び第２の設備の中の少なくとも一方の設備がオフライン状態にある場合、スマート装着設備と第１のタイプのペアリング接続を確立する。
【００４０】
ステップ３０２において、スマート装着設備とデータを伝送する第１の操作が検出された後、第１のタイプのペアリング接続を通じて、送信待ちデータをスマート装着設備に送信し、スマート装着設備は、第２の設備とデータを伝送する第２のデータ送信命令を受信した後、第２のタイプのペアリング接続を通じて、送信待ちデータを第２の設備に送信するために用いられる。
【００４１】
ここで、第２のタイプのペアリング接続とは、スマート装着設備と第２の設備の間に確立された接続である。
【００４２】
本発明の実施例に係る方法によると、スマート装着設備は、第１の設備と第１のタイプのペアリング接続を確立し、第１の設備とデータを伝送する第１の操作が検出された後、第１のタイプのペアリング接続を通じて、第１の設備から送信される送信待ちデータを受信し、その後、スマート装着設備は、第２の設備とデータを伝送する第２の操作が検出されると、第２のタイプのペアリング接続を通じて、送信待ちデータを第２の設備に送信する。スマート装着設備によって異なる設備の間のデータ伝送を実現するので、このようなデータ伝送方式はその使用範囲が広く、インターネット接続などの条件の制限を受けず、普遍性が高い。
【００４３】
別の実施例において、第１のタイプのペアリング接続を通じて、送信待ちデータをスマート装着設備に送信する前に、当該方法は、
第１のデータ送信画面においてのユーザーの手動操作に基づいて、送信待ちデータを特定するステップをさらに含む。
【００４４】
上記すべての選択的な提案は任意に組み合わせられて、本発明の選択的な実施例を構成し、ここで詳しく述べない。
【００４５】
図４は、１つの例示的な実施例に係るデータ伝送方法のフローチャートである。インタラクション主体は、第１の設備、スマート装着設備、及び第２の設備であり、第１の設備がデータ送信設備であり、第２の設備がデータ受信設備である場合を例とし、図４に示されたように、当該データ伝送方法は、下記のステップを含む。
【００４６】
ステップ４０１において、スマート装着設備は、第１の設備、及び第２の設備と、それぞれ第１のタイプのペアリング接続、及び第２のタイプのペアリング接続を確立する。
【００４７】
ここで、ペアリング接続は、ブルートゥース接続、近距離無線通信（ＮＦＣ）接続、または赤外線接続などであってもよく、本発明の実施例においては、ペアリング接続の形態について具体的に限定しない。
【００４８】
本発明の実施例において、スマート装着設備が第１の設備と第１のタイプのペアリング接続を確立する第１の時点と、第２の設備と第２のタイプのペアリング接続を確立する第２の時点の間の時間間隔は短くてもよく、長くてもよい。第１の設備及び第２の設備の間の物理的距離が比較的近い場合（例えば、第１の設備及び第２の設備が同一の室内にある場合）、第１の時点と第２の時点の間の時間間隔は短い。例えば、第１のタイプのペアリング接続を確立した後、直ちに第２のタイプのペアリング接続を確立する。
【００４９】
第１の設備及び第２の設備の間の物理的距離が比較的遠い場合、第１の時点と第２の時点の間の時間間隔は長い。例えば、ユーザーがスマート装着設備を通じてスマート携帯電話とスマートテレビの間でイメージを伝送する場合、スマート装着設備とスマートテレビが第１のタイプのペアリング接続を確立した後、ユーザーは、スマート装着設備とスマート携帯電話の間で直ちに第２のタイプのペアリング接続を確立するのではなく、直ちにスマートテレビのイメージをスマート装着設備に送信して記憶してもよい。その後の一定の時間内に、ユーザーが出かけて仕事をするか遊びに行った場合、スマート携帯電話とスマートテレビの間の距離が遠くなり、この場合、スマート装着設備とスマート携帯電話の間に第２のタイプのペアリング接続を確立した後、スマート装着設備に記憶されているイメージをスマート携帯電話に伝送することができる。
【００５０】
なお、どのようなペアリング接続方式を採用するかは、具体的な状況によって決めることができ、本発明の実施例はこれについて具体的に限定しない。第１のタイプのペアリング接続と第２のタイプのペアリング接続の確立時点の時間間隔は長くてもよく、短くてもよく、本発明の実施例においては、同様にこれについても具体的に限定しない。
【００５１】
また、スマート装着設備が第１の設備、及び第２の設備とそれぞれ第１のタイプのペアリング接続、及び第２のタイプのペアリング接続を確立する場合、下記の２つの方式で実現することができる。
【００５２】
第１種類の方式：第１の設備及び第２の設備の中の少なくとも一方の設備がオフライン状態にある場合、第１の設備と第１のタイプのペアリング接続を確立し、第２の設備と第２のタイプのペアリング接続を確立し、第２のタイプのペアリング接続は、第１のタイプのペアリング接続と異なる。
【００５３】
第１種類の方式において、第１の設備及び第２の設備の中の少なくとも一方の設備がオフライン状態にある場合、スマート装着設備をデータ中継設備とする方式を採用することができ、これによって第１の設備及び第２の設備の間のデータ伝送を実現する。
【００５４】
また、異なる端末設備が有するデータ伝送機能は多少異なる。例えば、ある端末設備がブルートゥース機能のみを有することに対して、ある端末設備は、ブルートゥース機能、近距離無線通信機能、及び赤外線機能などを同時に有する可能性がある。したがって、スマート装着設備は、第１の設備、及び第２の設備が有する機能によって、両者と異なるタイプのペアリング接続を確立することができる。例えば、スマート装着設備は、第１の設備とブルートゥース接続を確立し、第２の設備と近距離無線通信を確立する。
【００５５】
第２種類の方式：第１の設備及び第２の設備の中の少なくとも一方の設備がオフライン状態にある場合、第１の設備と第１のタイプのペアリング接続を確立し、第２の設備と第２のタイプのペアリング接続を確立し、第１のタイプのペアリング接続と第２のタイプのペアリング接続は同一のものである。
【００５６】
第２種類の方式において、第１の設備及び第２の設備の中の少なくとも一方の設備がオフライン状態にある場合、スマート装着設備をデータ中継設備とする方式を採用することができ、これによって第１の設備及び第２の設備の間のデータ伝送を実現する。また、第１の設備及び第２の設備が同一のデータ伝送機能を有する場合、スマート装着設備は、第１の設備、及び第２の設備と同一のタイプのペアリング接続を確立することができる。例えば、スマート装着設備は、第１の設備、及び第２の設備の両者とブルートゥース接続を確立する。
【００５７】
ステップ４０２において、第１の設備は、第１の操作を検出すると、スマート装着設備とデータを伝送する第１のデータ送信命令を受信したと特定し、第１のデータ送信画面においてのユーザーの手動操作に基づいて、送信待ちデータを特定する。
【００５８】
本発明の実施例において、第１の操作は、様々な形態がある。例えば、第１の設備は、スマート装着設備と自分の間に指定形態のタッチイベント（スマート装着設備と第１の設備が予め設定された回数タッチ）が発生し、第１の設備とスマート装着設備の指定されたキーが押下されたと検出されると、スマート装着設備とデータを伝送する第１の操作が検出されたと特定する。本発明の実施例においては、第１の操作の形態について具体的に限定しない。
【００５９】
また、スマート装着設備と第１の設備の間に第１の操作が発生した場合、第１の設備が、スマート装着設備とデータを伝送する第１の操作を検出する以外に、スマート装着設備は、第１の操作を検出すると、第１の設備とデータを伝送する第１のデータ受信命令を受信したと特定することができる。例えば、第１の操作が２回タッチイベントである場合、第１の設備とスマート装着設備の間に２回のタッチが発生すると、第１の設備とスマート装着設備は、いずれも当該操作を検出し、それぞれ第１のデータ送信命令と第１のデータ受信命令を受信したと特定する。
【００６０】
ここで、第１の設備がデータを伝送するとき、端末画面には、通常的に対応する第１のデータ送信画面が表示され、ユーザーは、第１のデータ送信画面でインディケーションに基づいて送信待ちデータを選択することができる。一方、端末は、ユーザーが行った手動操作に基づいて、ユーザーにより選択された送信待ちデータを特定することができる。送信待ちデータは、イメージ、文字、またはビデオなどであってもよい。本発明の実施例においては、送信待ちデータの種類について具体的に限定しない。
【００６１】
なお、上記の第１の操作を検出するステップと、送信待ちデータを特定するステップの実行順序は任意的である。即ち、第１の設備は、第１の操作を検出した後、ユーザーの手動操作に基づいて送信待ちデータを特定してもよく、まずユーザーの手動操作に基づいて送信待ちデータを特定した後、第１の操作が検出されると、特定された送信待ちデータを直接スマート装着設備に送信してもよい。本発明の実施例においては、これについて具体的に限定しない。本発明の実施例は、第１の設備が第１の操作を検出した後、ユーザーの手動操作に基づいて送信待ちデータを特定する場合のみを例として説明する。
【００６２】
ステップ４０３において、第１の設備は、第１のタイプのペアリング接続を通じて、送信待ちデータをスマート装着設備に送信する。
【００６３】
本発明の実施例において、スマート装着設備と第１の設備の間に第１のタイプのペアリング接続が確立されるので、ユーザーがデータ送信画面上のデータ送信キーをクリックしたことが検出されると、第１の設備は、第１のタイプのペアリング接続を通じて、送信待ちデータをスマート装着設備に送信する。
【００６４】
また、第１の設備は、スマート装着設備に送信待ちデータを送信する以外に、スマート装着設備に、例えば第２の設備の機種情報、またはＭＡＣアドレス（Ｍｅｄｉａ Ａｃｃｅｓｓ Ｃｏｎｔｒｏｌ Ａｄｄｒｅｓｓ）などの第２の設備識別子を送信して、スマート装着設備がどの設備に当該送信待ちデータを伝送するかを特定するようにしてもよい。
【００６５】
ステップ４０４において、スマート装着設備は、第１の設備から送信される送信待ちデータを受信した後、送信待ちデータを記憶する。
【００６６】
本発明の実施例において、上記ステップ４０２でスマート装着設備が既に第１の操作を検出したので、スマート装着設備は、第１の設備とデータを伝送する第１のデータ受信命令を受信したと特定し、スマート装着設備は、既にデータ受信準備ができている。スマート装着設備は、第１の設備から送信される送信待ちデータを受信した後、送信待ちデータを自分の記録媒体に記憶する。例えば、メモリ、またはメモリカードに記憶し、本発明の実施例においては、これについて具体的に限定しない。
【００６７】
ステップ４０５において、スマート装着設備は、第２の操作を検出すると、第２の設備とデータを伝送する第２のデータ送信命令を受信したと特定し、第２のタイプのペアリング接続を通じて、送信待ちデータを第２の設備に送信する。
【００６８】
本発明の実施例において、第２のデータ操作は、様々な形態があり、第２の操作は、第１の操作と同じ操作であってもよく、第１の操作と異なる操作であってもよく、本発明の実施例においては、これについて具体的に限定しない。例えば、スマート装着設備は、第２の設備と自分の間に指定形態のタッチイベント（スマート装着設備と第２の設備が予め設定された回数タッチ）が発生し、スマート装着設備と第２の設備の指定されたキーが押下されたと検出されると、第２の設備とデータを伝送する第２のデータ送信命令を受信したと特定する。本発明の実施例においては、第２の操作の形態について具体的に限定しない。
【００６９】
また、スマート装着設備と第２の設備の間に第２の操作が発生した場合、スマート装着設備が、第２の設備とデータを伝送する第２のデータ送信命令を検出する以外に、第２の設備は、第２の操作を検出すると、スマート装着設備とデータを伝送する第２のデータ受信命令を受信したと特定することができる。例えば、第２の操作が２回タッチイベントである場合、スマート装着設備と第２の設備の間に２回のタッチが発生すると、スマート装着設備と第２の設備は、いずれも当該イベントを検出し、それぞれ第２のデータ送信命令と第２のデータ受信命令を受信したと特定する。
【００７０】
ここで、スマート装着設備がデータを伝送するとき、その表示画面には、通常、対応する第２のデータ送信画面が表示され、ユーザーは、第２のデータ送信画面でインディケーションに基づいて送信待ちデータを選択することができる。一方、スマート装着設備は、ユーザーが行った手動操作に基づいて、ユーザーにより選択された送信待ちデータを特定することができる。
【００７１】
また、スマート装着設備と第２の設備の間に既に第２のタイプのペアリング接続が確立されるので、スマート装着設備は、第２のタイプのペアリング接続を通じて、送信待ちデータを第２の設備に伝送することができ、第１の設備及び第２の設備の間のデータ伝送を実現する。
【００７２】
本発明の実施例に係る方法によると、スマート装着設備は、第１の設備と第１のタイプのペアリング接続を確立し、第１の設備とデータを伝送する第１の操作が検出された後、第１のタイプのペアリング接続を通じて、第１の設備から送信される送信待ちデータを受信し、その後、スマート装着設備は、第２の設備とデータを伝送する第２の操作が検出されると、第２のタイプのペアリング接続を通じて、送信待ちデータを第２の設備に送信する。スマート装着設備によって異なる設備の間のデータ伝送を実現するので、このようなデータ伝送方式はその使用範囲が広く、インターネット接続などの条件の制限を受けず、普遍性が高い。
【００７３】
以下、１つの詳細な例を挙げて上記データ伝送方法を説明する。ユーザーＡがスマートテレビの１つのイメージが好きであるとすると、ユーザーＡは、当該イメージをスマート装着設備に伝送する。ユーザーＡが外地に出張に行ったか遊びに行った場合、ユーザーＡが当該イメージを照会したがっているのにインターネットに接続できないと、ユーザーＡは、スマート装着設備に記憶されている当該イメージをスマート携帯電話に伝送して当該イメージの照会を実現することができ、これは、インターネット接続要素の制限を受けない。具体的なステップは、以下の通りである。
【００７４】
第１のステップにおいて、スマート装着設備とスマートテレビは、第１のタイプのペアリング接続を確立する。
【００７５】
第２のステップにおいて、スマート装着設備とスマートテレビの間に指定された回数のタッチが発生する。
【００７６】
第３のステップにおいて、スマートテレビは、タッチイベントを検出した後、ユーザーＡの手動操作に基づいて、ユーザーＡが伝送しようとするイメージを特定する。
【００７７】
第４のステップにおいて、スマートテレビは、第１のタイプのペアリング接続を通じて、スマート装着設備に当該イメージを伝送する。
【００７８】
第５のステップにおいて、スマート装着設備は、タッチイベントを検出した後、データ受信準備をし、第１のタイプのペアリング接続を通じて当該イメージを受信し、当該イメージを記憶する。
【００７９】
第６のステップにおいて、ユーザーＡが外地に出張に行ったか遊びに行って当該イメージを照会しようとする場合、スマート装着設備とスマート携帯電話は、第２のタイプのペアリング接続を確立する。
【００８０】
第７のステップにおいて、スマート装着設備とスマート携帯電話の間に指定された回数のタッチが発生する。
【００８１】
第８のステップにおいて、スマート装着設備は、タッチイベントを検出した後、ユーザーＡの手動操作に基づいて、ユーザーＡが伝送しようとするイメージを特定する。
【００８２】
第９のステップにおいて、スマート装着設備は、第２のタイプのペアリング接続を通じて、スマート携帯電話に当該イメージを伝送する。
【００８３】
第１０のステップにおいて、スマート携帯電話は、タッチイベントを検出した後、データ受信準備をし、第２のタイプのペアリング接続を通じて当該イメージを受信し、当該イメージを記憶して、ユーザーＡがスマート携帯電話で当該イメージを照会できるようにする。
【００８４】
図５は、１つの例示的な実施例に係るデータ伝送装置のブロック図である。図５を参照すると、当該装置は、スマート装着設備に適用され、当該装置は、接続確立モジュール５０１、データ受信モジュール５０２、検出モジュール５０３、及びデータ送信モジュール５０４を含む。
【００８５】
ここで、接続確立モジュール５０１は、第１の設備と第１のタイプのペアリング接続を確立するために用いられ、データ受信モジュール５０２は、接続確立モジュール５０１に接続され、第１の設備とデータを伝送する第１の操作が検出された後、第１のタイプのペアリング接続を通じて、第１の設備から送信される送信待ちデータを受信するために用いられ、検出モジュール５０３は、データ受信モジュール５０２に接続され、第２の設備と第２のタイプのペアリング接続が確立された後、第２の設備とデータを伝送する第２の操作を検出するために用いられ、データ送信モジュール５０４は、検出モジュール５０３に接続され、第２の設備とデータを伝送する第２の操作が検出された後、第２のタイプのペアリング接続を通じて、送信待ちデータを第２の設備に送信するために用いられる。
【００８６】
別の実施例において、データ受信モジュールは、スマート装着設備と第１の設備の間の第１の指定形態のタッチ操作が検出されると、第１の操作が検出されたと特定し、第１のタイプのペアリング接続を通じて、第１の設備が第１の操作を検出した後送信する送信待ちデータを受信するために用いられる。上記送信待ちデータとは、第１の設備が第１のデータ送信画面においてのユーザーの手動操作に基づいて特定するものである。
【００８７】
別の実施例において、接続確立モジュールは、さらに第２の設備と第２のタイプのペアリング接続を確立するために用いられる。
【００８８】
検出モジュールは、スマート装着設備と第２の設備の間の第２の指定形態のタッチ操作が検出されると、第２の操作が検出されたと特定するために用いられる。
【００８９】
データ送信モジュールは、第２のデータ送信画面においてのユーザーの手動操作に基づいて送信待ちデータを特定し、第２のタイプのペアリング接続を通じて、送信待ちデータを第２の設備に送信するために用いられる。
【００９０】
本発明の実施例に係る装置によると、スマート装着設備は、第１の設備と第１のタイプのペアリング接続を確立し、第１の設備とデータを伝送する第１の操作が検出された後、第１のタイプのペアリング接続を通じて、第１の設備から送信される送信待ちデータを受信し、その後、スマート装着設備は、第２の設備とデータを伝送する第２の操作が検出されると、第２のタイプのペアリング接続を通じて、送信待ちデータを第２の設備に送信する。スマート装着設備によって異なる設備の間のデータ伝送を実現するので、このようなデータ伝送方式はその使用範囲が広く、インターネット接続などの条件の制限を受けず、普遍性が高い。
【００９１】
図６は、１つの例示的な実施例に係るデータ伝送装置のブロック図である。図６を参照すると、当該装置は、第１の設備に適用され、当該装置は、接続確立モジュール６０１、及びデータ送信モジュール６０２を含む。
【００９２】
ここで、接続確立モジュール６０１は、第１の設備及び第２の設備の中の少なくとも一方の設備がオフライン状態にある場合、スマート装着設備と第１のタイプのペアリング接続を確立するために用いられ、データ送信モジュール６０２は、接続確立モジュール６０１に接続され、スマート装着設備とデータを伝送する第１の操作が検出された後、第１のタイプのペアリング接続を通じて、送信待ちデータをスマート装着設備に送信するために用いられ、スマート装着設備は、第２の設備とデータを伝送する第２の操作が検出された後、第２のタイプのペアリング接続を通じて、送信待ちデータを第２の設備に送信するために用いられる。ここで、第２のタイプのペアリング接続とは、スマート装着設備と第２の設備の間に確立された接続である。
【００９３】
別の実施例において、図７を参照すると、当該装置は、第１のデータ送信画面においてのユーザーの手動操作に基づいて、送信待ちデータを特定するためのデータ特定モジュールをさらに含む。
【００９４】
本発明の実施例に係る装置によると、スマート装着設備は、第１の設備と第１のタイプのペアリング接続を確立し、第１の設備とデータを伝送する第１の操作が検出された後、第１のタイプのペアリング接続を通じて、第１の設備から送信される送信待ちデータを受信し、その後、スマート装着設備は、第２の設備とデータを伝送する第２のデータ送信命令が検出されると、第２のタイプのペアリング接続を通じて、送信待ちデータを第２の設備に送信する。スマート装着設備によって異なる設備の間のデータ伝送を実現するので、このようなデータ伝送方式はその使用範囲が広く、インターネット接続などの条件の制限を受けず、普遍性が高い。
【００９５】
上記実施例の装置において、その各モジュールが動作を行う具体的な方式は、既に関連する方法実施例で詳しく説明したので、ここで詳細な説明をしない。
【００９６】
図８は、１つの例示的な実施例に係るデータ伝送用設備８００のブロック図である。例えば、設備８００は、スマード装着設備である。
【００９７】
図８を参照すると、設備８００は、プロセスユニット８０２、メモリ８０４、電源ユニット８０６、マルチメディアユニット８０８、オーディオユニット８１０、入出力（Ｉ／Ｏ）インタフェース８１２、センサユニット８１４、及び通信ユニット８１６の中の１つ或いは複数のユニットを含んでもよい。
【００９８】
プロセスユニット８０２は、一般的には設備８００の全体の動作を制御するものであり、例えば、表示、電話呼び出し、データ通信、カメラ操作、及び記録操作と関連する操作を制御する。プロセスユニット８０２は、１つ以上のプロセッサ８２０を含み、これらによって命令を実行することにより、上記の方法の全部、或は一部のステップを実現するようにしてもよい。なお、プロセスユニット８０２は、１つ以上のモジュールを含んでプロセスユニット８０２と他のユニットの間のインタラクションを容易にしてもよい。例えば、プロセスユニット８０２は、マルチメディアモジュールを含んでマルチメディアユニット８０８とプロセスユニット８０２の間のインタラクションを容易にしてもよい。
【００９９】
メモリ８０４は、各種類のデータを記憶することにより設備８００の動作を支援するように構成される。これらのデータの例は、設備８００において操作されるいずれのアプリケーションプログラム又は方法の命令、連絡対象データ、電話帳データ、メッセージ、画像、ビデオ等を含む。メモリ８０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１００】
電源ユニット８０６は、設備８００の各ユニットに電力を供給する。電源ユニット８０６は、電源管理システム、１つ或いは複数の電源、及び設備８００のための電力の生成、管理、及び割り当てに関連する他のユニットを含んでもよい。
【０１０１】
マルチメディアユニット８０８は、上記設備８００とユーザーの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザーからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアユニット８０８は、１つのフロントカメラ、及び／又はリアカメラを含む。設備８００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１０２】
オーディオユニット８１０は、オーディオ信号を入出力するように構成される。例えば、オーディオユニット８１０は、１つのマイク（ＭＩＣ）を含み、設備８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信ユニット８１６を介して送信されたりする。部分実施例において、オーディオユニット８１０は、オーディオ信号を出力するための１つのスピーカーをさらに含む。
【０１０３】
Ｉ／Ｏインタフェース８１２は、プロセスユニット８０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０４】
センサユニット８１４は、設備８００に各方面の状態に対する評価を提供するための１つ以上のセンサを含む。例えば、センサユニット８１４は、設備８００のＯＮ／ＯＦＦ状態、設備８００のディスプレイとキーパッドのようなユニットの相対的な位置決めを検出できる。また、センサユニット８１４は、設備８００、或いは設備８００の１つのユニットの位置変更、ユーザーと設備８００とが接触しているか否か、設備８００の方位、又は加速／減速、設備８００の温度の変化を検出できる。センサユニット８１４は、何れの物理的接触がない状態にて付近の物体の存在を検出するための近接センサを含んでもよい。センサユニット８１４は、撮影アプリケーションに適用するため、ＣＭＯＳ、又はＣＣＤ画像センサのような光センサを含んでもよい。部分実施例において、当該センサユニット８１４は、加速度センサ、ジャイロスコープセンサ、磁気センサ、圧力センサ、及び温度センサをさらに含んでもよい。
【０１０５】
通信ユニット８１６は、設備８００と他の機器の間に有線、又は無線形態の通信を提供する。設備８００は、例えばＷｉＦｉ、２Ｇ、３Ｇ、或はこれらの組み合わせのような、通信規格に基づいた無線ネットワークに接続されてもよい。１つの例示的な実施例において、通信ユニット８１６は、放送チャンネルを介して外部の放送管理システムからの放送信号、又は放送に関連する情報を受信する。１つの例示的な実施例において、上記通信ユニット８１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１０６】
例示的な実施例において、設備８００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１０７】
例示的な実施例において、命令を含むコンピュータ読取り可能な非一時的な記録媒体、例えば命令を含むメモリ８０４をさらに提供し、設備８００のプロセッサ８２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１０８】
コンピュータ読取り可能な非一時的な記録媒体は、上記記録媒体に記録されている命令がスマート装着設備のプロセッサにより実行されるとき、スマート装着設備がデータ伝送方法を実行できるようにし、上記方法は、
第１の設備と第１のタイプのペアリング接続を確立するステップと、
第１の設備とデータを伝送する第１の操作が検出された後、第１のタイプのペアリング接続を通じて、第１の設備から送信される送信待ちデータを受信するステップと、
第２の設備と第２のタイプのペアリング接続が確立された後、第２の設備とデータを伝送する第２の操作を検出するステップと、
第２の設備とデータを伝送する第２の操作が検出された後、第２のタイプのペアリング接続を通じて、送信待ちデータを第２の設備に送信するステップと、を含む。
【０１０９】
別の実施例において、第１の設備とデータを伝送する第１の操作が検出された後、第１のタイプのペアリング接続を通じて、第１の設備から送信される送信待ちデータを受信するステップは、
スマート装着設備と第１の設備の間の第１の指定形態のタッチ操作が検出されると、第１の操作が検出されたと特定するステップと、
第１のタイプのペアリング接続を通じて、第１の設備が第１の操作を検出した後送信する送信待ちデータを受信するステップと、を含み、
送信待ちデータとは、第１の設備が第１のデータ送信画面においてのユーザーの手動操作に基づいて特定するものである。
【０１１０】
別の実施例において、第２の設備とデータを伝送する第２の操作を検出する前に、当該データ伝送方法は、
第２の設備と第２のタイプのペアリング接続を確立するステップをさらに含み、
第２の設備とデータを伝送する第２の操作を検出するステップは、
スマート装着設備と第２の設備の間の第２の指定形態のタッチ操作が検出されると、第２の操作が検出されたと特定するステップを含み、
第２のタイプのペアリング接続を通じて、送信待ちデータを第２の設備に送信するステップは、
第２のデータ送信画面においてのユーザーの手動操作に基づいて送信待ちデータを特定し、第２のタイプのペアリング接続を通じて、送信待ちデータを第２の設備に送信するステップを含む。
【０１１１】
本発明の実施例に係るコンピュータ読取り可能な非一時的な記録媒体によると、スマート装着設備は、第１の設備と第１のタイプのペアリング接続を確立し、第１の設備とデータを伝送する第１の操作が検出された後、第１のタイプのペアリング接続を通じて、第１の設備から送信される送信待ちデータを受信し、その後、スマート装着設備は、第２の設備とデータを伝送する第２の操作が検出されると、第２のタイプのペアリング接続を通じて、送信待ちデータを第２の設備に送信する。スマート装着設備によって異なる設備の間のデータ伝送を実現するので、このようなデータ伝送方式はその使用範囲が広く、インターネット接続などの条件の制限を受けず、普遍性が高い。
【０１１２】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１１３】
本発明は、上記で記述し、図面で図示した特定の構成に限定されず、その範囲を離脱しない状況で、様様な修正と変更を実現できる。本発明の範囲は、添付される特許請求の範囲のみにより限定される。
【図１】
2017513416.tif 000003
【図２】
2017513416.tif 000004
【図３】
2017513416.tif 000005
【図４】
2017513416.tif 000006
【図５】
2017513416.tif 000007
【図６】
2017513416.tif 000008
【図７】
2017513416.tif 000009
【図８】
2017513416.tif 000010
【手続補正書】
【提出日】平成27年10月22日(2015.10.22)
【手続補正２】
【補正対象書類名】明細書
【補正対象項目名】０００２
【補正方法】変更
【補正の内容】
【０００２】
本発明は、通信技術分野に関し、特に、データ伝送方法、装置、設備、プログラム及び記録媒体に関する。
【手続補正３】
【補正対象書類名】明細書
【補正対象項目名】０００５
【補正方法】変更
【補正の内容】
【０００５】
本発明は、関連技術に存在する問題を解決するために、データ伝送方法、装置、設備、プログラム及び記録媒体を提供する。
【手続補正４】
【補正対象書類名】明細書
【補正対象項目名】００１７
【補正方法】変更
【補正の内容】
【００１７】
本発明の第６の態様は、データ伝送設備を提供し、当該データ伝送設備は、
プロセッサと、
前記プロセッサが実行可能な命令を記憶するためのメモリと、
を含み、
前記プロセッサは、
第１の設備及び第２の設備の中の少なくとも一方の設備がオフライン状態にある場合、スマート装着設備と第１のタイプのペアリング接続を確立し、
前記スマート装着設備とデータを伝送する第１の操作が検出された後、前記第１のタイプのペアリング接続を通じて、送信待ちデータを前記スマート装着設備に送信するように構成され、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続である。
本発明の第７の態様は、プロセッサに実行されることにより、上記のデータ伝送方法を実現するプログラムを提供する。
本発明の第８の態様は、上記プログラムが記録される記録媒体を提供する。
【手続補正５】
【補正対象書類名】特許請求の範囲
【補正対象項目名】全文
【補正方法】変更
【補正の内容】
【特許請求の範囲】
【請求項１】
スマート装着設備に用いられるデータ伝送方法であって、
第１の設備と第１のタイプのペアリング接続を確立するステップと、
前記第１の設備とデータを伝送する第１の操作が検出された後、前記第１のタイプのペアリング接続を通じて、前記第１の設備から送信される送信待ちデータを受信するステップと、
第２の設備と第２のタイプのペアリング接続が確立された後、前記第２の設備とデータを伝送する第２の操作を検出するステップと、
前記第２の設備とデータを伝送する第２の操作が検出された後、前記第２のタイプのペアリング接続を通じて、前記送信待ちデータを前記第２の設備に送信するステップと、
を含むことを特徴とするデータ伝送方法。
【請求項２】
前記第１の設備とデータを伝送する第１の操作が検出された後、前記第１のタイプのペアリング接続を通じて、前記第１の設備から送信される送信待ちデータを受信するステップは、
前記スマート装着設備と前記第１の設備の間の第１の指定形態のタッチ操作が検出されると、前記第１の操作が検出されたと特定するステップと、
前記第１のタイプのペアリング接続を通じて、前記第１の設備が前記第１の操作を検出した後送信する前記送信待ちデータを受信するステップと、
を含み、
前記送信待ちデータは、前記第１の設備が第１のデータ送信画面においてのユーザーの手動操作に基づいて特定するものであることを特徴とする請求項１に記載のデータ伝送方法。
【請求項３】
前記第２の設備とデータを伝送する第２の操作を検出する前に、前記データ伝送方法は、
前記第２の設備と前記第２のタイプのペアリング接続を確立するステップをさらに含み、
前記第２の設備とデータを伝送する第２の操作を検出するステップは、
前記スマート装着設備と前記第２の設備の間の第２の指定形態のタッチ操作が検出されると、前記第２の操作が検出されたと特定するステップを含み、
前記第２のタイプのペアリング接続を通じて、前記送信待ちデータを前記第２の設備に送信するステップは、
第２のデータ送信画面においてのユーザーの手動操作に基づいて前記送信待ちデータを特定し、前記第２のタイプのペアリング接続を通じて、前記送信待ちデータを前記第２の設備に送信するステップを含むことを特徴とする請求項１に記載のデータ伝送方法。
【請求項４】
第１の設備に用いられるデータ伝送方法であって、
第１の設備及び第２の設備の中の少なくとも一方の設備がオフライン状態にある場合、スマート装着設備と第１のタイプのペアリング接続を確立するステップと、
前記スマート装着設備とデータを伝送する第１の操作が検出された後、前記第１のタイプのペアリング接続を通じて、送信待ちデータを前記スマート装着設備に送信するステップと、
を含み、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続であることを特徴とするデータ伝送方法。
【請求項５】
前記第１のタイプのペアリング接続を通じて、送信待ちデータを前記スマート装着設備に送信する前に、前記データ伝送方法は、
第１のデータ送信画面においてのユーザーの手動操作に基づいて、前記送信待ちデータを特定するステップをさらに含むことを特徴とする請求項４に記載のデータ伝送方法。
【請求項６】
スマート装着設備に用いられるデータ伝送装置であって、
第１の設備と第１のタイプのペアリング接続を確立するための接続確立モジュールと、
前記第１の設備とデータを伝送する第１の操作が検出された後、前記第１のタイプのペアリング接続を通じて、前記第１の設備から送信される送信待ちデータを受信するためのデータ受信モジュールと、
第２の設備と第２のタイプのペアリング接続が確立された後、前記第２の設備とデータを伝送する第２の操作を検出するための検出モジュールと、
前記第２の設備とデータを伝送する第２の操作が検出された後、前記第２のタイプのペアリング接続を通じて、前記送信待ちデータを前記第２の設備に送信するためのデータ送信モジュールと、
を含むことを特徴とするデータ伝送装置。
【請求項７】
前記データ受信モジュールは、前記スマート装着設備と前記第１の設備の間の第１の指定形態のタッチ操作が検出されると、前記第１の操作が検出されたと特定し、前記第１のタイプのペアリング接続を通じて、前記第１の設備が前記第１の操作を検出した後送信する前記送信待ちデータを受信するために用いられ、
前記送信待ちデータは、前記第１の設備が第１のデータ送信画面においてのユーザーの手動操作に基づいて特定するものであることを特徴とする請求項６に記載のデータ伝送装置。
【請求項８】
前記接続確立モジュールは、前記第２の設備と前記第２のタイプのペアリング接続を確立するためにも用いられ、
前記検出モジュールは、前記スマート装着設備と前記第２の設備の間の第２の指定形態のタッチ操作が検出されると、前記第２の操作が検出されたと特定するために用いられ、
前記データ送信モジュールは、第２のデータ送信画面においてのユーザーの手動操作に基づいて前記送信待ちデータを特定し、前記第２のタイプのペアリング接続を通じて、前記送信待ちデータを前記第２の設備に送信するために用いられることを特徴とする請求項６に記載のデータ伝送装置。
【請求項９】
第１の設備に用いられるデータ伝送装置であって、
第１の設備及び第２の設備の中の少なくとも一方の設備がオフライン状態にある場合、スマート装着設備と第１のタイプのペアリング接続を確立するための接続確立モジュールと、
前記スマート装着設備とデータを伝送する第１の操作が検出された後、前記第１のタイプのペアリング接続を通じて、送信待ちデータを前記スマート装着設備に送信するためのデータ送信モジュールと、
を含み、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続であることを特徴とするデータ伝送装置。
【請求項１０】
前記データ伝送装置は、
第１のデータ送信画面においてのユーザーの手動操作に基づいて、前記送信待ちデータを特定するためのデータ特定モジュールをさらに含むことを特徴とする請求項９に記載のデータ伝送装置。
【請求項１１】
プロセッサと、
前記プロセッサが実行可能な命令を記憶するためのメモリと、
を含み、
前記プロセッサは、
第１の設備と第１のタイプのペアリング接続を確立し、
前記第１の設備とデータを伝送する第１の操作が検出された後、前記第１のタイプのペアリング接続を通じて、前記第１の設備から送信される送信待ちデータを受信し、
第２の設備と第２のタイプのペアリング接続が確立された後、前記第２の設備とデータを伝送する第２の操作を検出し、
前記第２の設備とデータを伝送する第２の操作が検出された後、前記第２のタイプのペアリング接続を通じて、前記送信待ちデータを前記第２の設備に送信するように構成されることを特徴とするデータ伝送設備。
【請求項１２】
プロセッサと、
前記プロセッサが実行可能な命令を記憶するためのメモリと、
を含み、
前記プロセッサは、
第１の設備及び第２の設備の中の少なくとも一方の設備がオフライン状態にある場合、スマート装着設備と第１のタイプのペアリング接続を確立し、
前記スマート装着設備とデータを伝送する第１の操作が検出された後、前記第１のタイプのペアリング接続を通じて、送信待ちデータを前記スマート装着設備に送信するように構成され、
前記スマート装着設備は、前記第２の設備とデータを伝送する第２の操作が検出された後、第２のタイプのペアリング接続を通じて、前記送信待ちデータを前記第２の設備に送信するために用いられ、
前記第２のタイプのペアリング接続は、前記スマート装着設備と前記第２の設備の間に確立された接続であることを特徴とするデータ伝送設備。
【請求項１３】
プロセッサに実行されることにより、請求項１〜５のいずれか１項に記載のデータ伝送方法を実現することを特徴とするプログラム。
【請求項１４】
請求項１３に記載のプログラムが記録された記録媒体。
【国際調査報告】
2017513416.tif 000011
2017513416.tif 000012
2017513416.tif 000013
2017513416.tif 000014